(57)【要約】      （修正有）【課題】高度の手技やピンセットなどの摘まみ用具を必要とせずに、手や足の爪へすばやく貼り付け転写できるネイルシールを提供する。【解決手段】透視可能な印刷基材シート１２とその表面にカラー印刷された標章１４とから成る標章転写片Ｔの複数を、透視可能な離型シート１１の表面へ別個独立する点在分布状態に貼り付けて、その複数の標章転写片Ｔへ表側から透視可能なマスキングシート１６を被覆状態に貼り付ける。さらに、上記離型シート１１へ裏側から各標章転写片Ｔを包囲する平面輪郭形状と大きさのハーフカット線を切り込んでおくことにより、その内部の剥離した空間Ｏを通じて、各標章転写片Ｔを手や足の爪Ｍへ転写使用できるように定めた。【選択図】図９
0003180707.tif 000002
【実用新案登録請求の範囲】
【請求項１】
透視可能な印刷基材シート（１２）とその表面にカラー印刷された標章（１４）とから成る標章転写片（Ｔ）の複数を、透視可能な離型シート（１１）の表面へ別個独立する点在分布状態に貼り付けて、
その複数の標章転写片（Ｔ）へ表側から透視可能なマスキングシート（１６）を被覆状態に貼り付ける一方、
上記離型シート（１１）へ裏側から各標章転写片（Ｔ）を包囲する平面輪郭形状と大きさのハーフカット線（１８）を切り込んでおくことにより、その内部の剥離した空間（Ｏ）を通じて、各標章転写片（Ｔ）を手や足の爪（Ｍ）へ転写使用できるように定めたことを特徴とするネイルシール。
【請求項２】
透視可能な印刷基材シート（１２）とその表面にカラー印刷された標章（１４）とから成る標章転写片（Ｔ）の複数を、透視可能な離型シート（１１）の表面へ別個独立する点在分布状態に貼り付けて、
その複数の標章転写片（Ｔ）へ表側から透視可能なマスキングシート（１６）を被覆状態に貼り付ける一方、
上記離型シート（１１）へ裏側から各標章転写片（Ｔ）を包囲する平面輪郭形状と大きさのハーフカット線（１８）を、その平面輪郭形状の一部（Ｚ）が残る状態に切り込んでおくことにより、
その内部の開放した空間（Ｏ）を通じて、各標章転写片（Ｔ）を手や足の爪（Ｍ）へ転写した後、上記離型シート（１１）の内部空間（Ｏ）を閉鎖状態に復元できるように定めたことを特徴とするネイルシール。
【請求項３】
離型シート（１１）の厚みをマスキングシート（１６）の厚みよりも厚く設定すると共に、
上記離型シート（１１）の表面へ標章転写片（Ｔ）を貼り付ける粘着力を、その標章転写片（Ｔ）の表面へ上記マスキングシート（１６）を貼り付ける粘着力よりも強く設定したことを特徴とする請求項１又は２記載のネイルシール。
【請求項４】
印刷基材シート（１２）へ表側から標章（１４）の印刷部分（Ｐ）を縁取る平面輪郭形状のハーフカット線（１５）を切り込むと共に、その他の余白部分（Ｓ）を除去することにより、別個独立する複数の標章転写片（Ｔ）として形成したことを特徴とする請求項１又は２記載のネイルシール。
【請求項５】
印刷基材シート（１２）における標章（１４）の印刷部分（Ｐ）へ、表側から透明のトップ印刷層（１９）を被着させたことを特徴とする請求項１又は２記載のネイルシール。
【考案の詳細な説明】
【技術分野】
【０００１】
本考案は手や足の爪に転写使用するためのネイルシールに関する。
【背景技術】
【０００２】
ネイルアートになる図柄がカラー印刷された枚葉形態のプラスチックフィルムを、共通する離型シートの表面へ多数点在分布状態に貼り付けたネイルシールは、市販されているが、その図柄は極めて小さな枚葉片になっているため、ピンセットなどの摘まみ用具を使わなければ、これを離型シートから一片づつ剥離して、手や足の爪へすばやく確実に転写することができず、その転写作業上甚だ煩らわしい。
【０００３】
その対策案となる発明が特許文献１に記載されている。この公知発明はネイルシール転写テープとして、図柄を印刷したアートシール層（１２）とシール接着剤層（１４）とから成るネイルシール（１０）のアートシール層（１２）に、長尺なテープ状の剥離フィルム（４０）を積層したものである。
【先行技術文献】
【特許文献】
【０００４】
【特許文献１】特開２００４−２０２７６８号公報
【考案の概要】
【考案が解決しようとする課題】
【０００５】
ところが、上記公知発明のネイルシール転写テープでは例えば右手の爪にネイルシール（１０）のアートシール層（１２）を転写する場合、左手によってシール接着剤層（１４）が爪（ネイルプレート）（６０）と向かい合うように、テープ状の剥離フィルム（４０）を摘まみ持ち乍ら、しかもその左手によってアートシール層（１２）を爪（ネイルプレート）（６０）へ押圧するか又は擦る必要があり、未だ非常に煩らわしく、その左手が不得手であれば、必らずや転写上の失敗や不良などを招来することになる。
【０００６】
尚、上記公知発明のような特別のネイルシール転写装置（２００）（３００）を使用する必要があるとすれば、それだけ使用者にとって不経済を余儀なくされる結果となり、好ましくない。
【課題を解決するための手段】
【０００７】
本考案はこのような課題の抜本的な解決を目的としており、その目的を達成するために請求項１では透視可能な印刷基材シートとその表面にカラー印刷された標章とから成る標章転写片の複数を、透視可能な離型シートの表面へ別個独立する点在分布状態に貼り付けて、
【０００８】
その複数の標章転写片へ表側から透視可能なマスキングシートを被覆状態に貼り付ける一方、
【０００９】
上記離型シートへ裏側から各標章転写片を包囲する平面輪郭形状と大きさのハーフカット線を切り込んでおくことにより、その内部の剥離した空間を通じて、各標章転写片を手や足の爪へ転写使用できるように定めたことを特徴とする。
【００１０】
又、請求項２では透視可能な印刷基材シートとその表面にカラー印刷された標章とから成る標章転写片の複数を、透視可能な離型シートの表面へ別個独立する点在分布状態に貼り付けて、
【００１１】
その複数の標章転写片へ表側から透視可能なマスキングシートを被覆状態に貼り付ける一方、
【００１２】
上記離型シートへ裏側から各標章転写片を包囲する平面輪郭形状と大きさのハーフカット線を、その平面輪郭形状の一部が残る状態に切り込んでおくことにより、
【００１３】
その内部の開放した空間を通じて、各標章転写片を手や足の爪へ転写した後、上記離型シートの内部空間を閉鎖状態に復元できるように定めたことを特徴とする。
【００１４】
請求項３では離型シートの厚みをマスキングシートの厚みよりも厚く設定すると共に、
【００１５】
上記離型シートの表面へ標章転写片を貼り付ける粘着力を、その標章転写片の表面へ上記マスキングシートを貼り付ける粘着力よりも強く設定したことを特徴とする。
【００１６】
請求項４では印刷基材シートへ表側から標章の印刷部分を縁取る平面輪郭形状のハーフカット線を切り込むと共に、その他の余白部分を除去することにより、別個独立する複数の標章転写片として形成したことを特徴とする。
【００１７】
更に、請求項５では印刷基材シートにおける標章の印刷部分へ、表側から透明のトップ印刷層を被着させたことを特徴とする。
【考案の効果】
【００１８】
請求項１の上記構成によれば、そのネイルシールは透視可能な印刷基材シートとその表面にカラー印刷された標章とから成る標章転写片の複数を具備しており、その各標章転写片の裏面に対応位置する離型シートの一部をハーフカット線から剥ぎ取り除去した後、ネイルシールを片手の指先で摘まみ持ちつつ、上記裏面の露出した標章転写片をそのマスキングシートの表側から、残る片手や足の爪へ押し付けるか又は擦り付ければ良く、その爪への貼り付け転写作業を高度の手技やましてピンセットなどの特別な摘まみ用具の必要なく、又片手の得手・不得手に拘らず、誰でもすばやく確実に行える効果があり、利便性に著しく優れる。
【００１９】
特に、請求項２の構成によれば、離型シートの裏側から各標章転写片を包囲する大きさと平面輪郭形状のハーフカット線を、その平面輪郭形状の一部が残存する状態に切り込んでいるため、その一部を言わば離型シートの開閉ヒンジとして、片手の指先により一旦開放した内部空間を通じて、手や足の爪へ各標章転写片を貼り付け転写後、上記離型シートの内部空間を閉鎖状態に復元することができ、その爪への転写作業をすばやく簡便に行えることは勿論、離型シートにおける部分的な剥ぎ取り滓の発生とその作業した周辺の汚損を招来したり、更にマスキングシートにおける裏面の露出した粘着剤層に、作業手の指先や塵埃などが付着する不快感と見苦しさを惹起したりするおそれを予防し得る効果がある。
【００２０】
何れにしても、請求項３の構成を採用するならば、その粘着力の強弱差に基いて、各標章転写片をマスキングシートからは自づと容易に剥離させ、その剥離した各標章転写片を手や足の爪に対しては、強く確実に貼り付け一体化することができ、その爪への転写使用状態を安定・強固に保てる効果がある。
【００２１】
又、請求項４の構成を採用するならば、複数の標章転写片を共通する１枚の印刷基材シートへ、別個独立の点在分布状態として容易に造形することができ、量産効果の向上に役立つ。
【００２２】
更に、請求項５の構成を採用するならば、各標章転写片の標章が表側から透明のトップ印刷層によって被覆されるため、その標章を表側から透視できることは勿論、これが水分や摺擦力を受けて形崩れしたり、まして消失したりするおそれがなく、耐久性や耐候性に優れた転写使用状態を得られる効果もある。
【図面の簡単な説明】
【００２３】
【図１】本考案に係るネイルシールの印刷基材シートへ標章を印刷した状態の平面図である。
【図２】図１の２−２線拡大断面図である。
【図３】印刷基材シートへ表側から標章の縁取り状態にハーフカット線を切り込んだ状態の断面図である。
【図４】印刷基材シートの余白部分（非印刷部分）を除去した状態の断面図である。
【図５】標章転写片の表側からマスキングシートを貼り付けた状態の断面図である。
【図６】離型シートへ裏側から各標章転写片よりも大きな平面輪郭形状にハーフカット線を切り込んだ状態の平面図である。
【図７】図６の７−７線拡大断面図である。
【図８】ネイルシールの転写使用法として、その標章転写片を手の爪に表側から当てがった位置決め状態の平面図である。
【図９】図８の９−９線拡大断面図である。
【図１０】手の爪に貼り付け転写した状態の断面図である。
【図１１】図１０の転写使用状態を示す平面図である。
【図１２】本考案の第２実施形態を示す図２に対応する印刷状態の断面図である。
【図１３】同じく図３に対応するハーフカット線の切り込み状態を示す断面図である。
【図１４】図４に対応する余白部分（非印刷部分）の除去状態を示す断面図である。
【図１５】図５に対応するマスキングシートの貼り付け状態を示す断面図である。
【図１６】図６に対応するハーフカット線の切り込み状態を示す断面図である。
【図１７】図１０に対応する爪への貼り付け転写状態を示す断面図である。
【図１８】図１７の転写使用状態を示す断面図である。
【図１９】本考案の第３実施形態を示す離型シートの裏側から見た部分拡大底面図である。
【図２０】同じく図９に対応する標章転写片の位置決め状態と離型シートの部分的な開放状態を示す断面図である。
【図２１】図１０に対応する爪への貼り付け転写状態と離型シートの閉鎖復元状態を示す断面図である。
【考案を実施するための形態】
【００２４】
以下、図面に基いて本考案の具体的構成を詳述すると、図１〜１１はその第１実施形態に係るネイルシール（Ｎ）の製作工程を示しており、（１１）は約１００〜１２５μｍの一定な厚みと大きさ（例えば約６０mm×約７０mmの長方形）有するポリエチレンテレフタレートやポリプロピレンなどの熱可塑性樹脂フィルムから成る透明又は半透明の離型シート（セパレーター）であって、その表面全体には同じ大きさの透明又は半透明な印刷基材シート（１２）が粘着剤層（１３）を介して貼り合わされている。
【００２５】
これを換言すれば、印刷基材シート（１２）の裏面全体に上記離型シート（１１）が貼り合わせ一体化されているのである。尚、離型シート（１１）の表面全体にシリコンなどの界面活性剤による剥離処理が施されていることは言うまでもない。上記印刷基材シート（１２）は約２０〜５０μｍの厚みを備えたアクリル樹脂やポリエチレン、ポリエチレンテレフタレートなどの熱可塑性樹脂フィルムから成る。
【００２６】
そして、上記印刷基材シート（１２）の表面に図１、２のような文字や図形、記号又これらの結合から成る標章（１４）の複数が、その別個独立する点在分布状態にカラー印刷されている。図例では「星」の図形と「ハート」の図形並びに「愛」の文字の合計３種を示している。上記カラー印刷はあらゆる版式を用いて行うことができ、カラーインキのみならず、例えば電子写真方式のカラーレーザープリンターやカラー静電複写機などを用いて、そのトナーから成る希望の標章（１４）を焼き付けても良い。
【００２７】
（１５）は上記標章（１４）のカラー印刷後、その印刷基材シート（１２）の表側から刃型（図示省略）によって、図３のような標章（１４）の印刷部分（Ｐ）を縁取る状態に切り込まれたハーフカット線であり、これによって標章（１４）同士の隣り合う相互間や周辺の余白部分（Ｓ）を剥ぎ取り除去することができるようになっている。
【００２８】
その場合、ハーフカット線（１５）は標章（１４）の印刷部分（Ｐ）を縁取る状態にあるため、その平面輪郭形状と大きさが標章（１４）における印刷部分（Ｐ）のそれらに応じて異なることとなり、一定不変ではない。
【００２９】
図４は上記余白部分（Ｓ）の剥ぎ取り除去された状態を示しており、この状態は印刷基材シート（１２）の表面に施した標章（１４）の印刷部分（Ｐ）だけを、予じめ別個独立する点在分布状態の標章転写片（Ｔ）として構成し、その複数を上記離型シート（１１）へ貼り付けた状態と結果的に同じである。
【００３０】
更に、（１６）は上記印刷基材シート（１２）に対する標章（１４）の印刷部分（Ｐ）を除く余白部分（Ｓ）の剥ぎ取り除去後、その複数の標章転写片（Ｔ）を汚損などから保護するために、表側から粘着剤層（１７）を介して図５のように貼り付けられた透明又は半透明のマスキングシートであり、約５０〜８０μｍの一定な厚み並びに上記印刷基材シート（１２）と同じ大きさを有するポリエチレンやその他の軟質な熱可塑性樹脂フィルムから成る。
【００３１】
その場合、上記印刷基材シート（１２）とその表面に印刷された標章（１４）とから成る標章転写片（Ｔ）の複数を、図５のように表裏（上下）方向から挟むマスキングシート（１６）の粘着剤層（１７）と上記印刷基材シート（１２）の粘着剤層（１３）との相互間には、その前者の粘着力が比較的弱く、後者の粘着力が比較的強いと云う強弱差を与えてある。
【００３２】
そのため、印刷基材シート（１２）の離型シート（１１）が厚く、硬質である（所謂腰がある）に比して、マスキングシート（１６）が薄く、軟質であることとも相俟って、上記標章転写片（Ｔ）を手や足の爪（Ｍ）へ転写する作業時に、片手の指先でネイルシール（Ｎ）の離型シート（１１）を垂れ下がったり、カールしたりしない状態に安定良く摘まみ持つことができ、しかもその標章転写片（Ｔ）を１枚づつマスキングシート（１６）からすばやく容易に剥ぎ取って、手や足の爪（Ｍ）へ強く貼り付け固定し得るのである。
【００３３】
（１８）は上記標章転写片（Ｔ）へ表側からマスキングシート（１６）を貼り付け後、その印刷基材シート（１２）の離型シート（１１）へ図６、７のように、裏側から刃型（図示省略）を用いて切り込まれたハーフカット線であるが、これは上記標章転写片（Ｔ）の標章（１４）を縁取るハーフカット線（１５）と異なり、常に標章転写片（Ｔ）の各個を包囲する平面輪郭形状（図例では楕円形）並びに大きさとして一定不変である。
【００３４】
上記工程順序に従って製作された第１実施形態のネイルシール（Ｎ）は、図６、７から明白なように、透視可能な印刷基材シート（１２）とその表面にカラー印刷された標章（１４）とから成る標章転写片（Ｔ）の複数を具備しており、その複数の標章転写片（Ｔ）が離型シート（１１）の表面へ別個独立の点在分布状態に貼り付けられていると共に、同じく標章転写片（Ｔ）の表側から透視可能なマスキングシート（１６）が被覆状態に貼り付けられたものである。そのため、その表裏（上下）方向から標章転写片（Ｔ）の標章（１４）を悉く目視することができ、その文字や図形、記号などの方向性を正しく確認し得るのである。
【００３５】
しかも、上記標章転写片（Ｔ）の各個を包囲する大きさと平面輪郭形状（図例では楕円形）のハーフカット線（１８）が、その離型シート（１１）の裏側から切り込まれている構成であるため、離型シート（１１）の剥ぎ取りによって、各標章転写片（Ｔ）の裏面を露出させることができ、延いてはその各標章転写片（Ｔ）をマスキングシート（１６）から剥離する如く、手や足の爪（Ｍ）にすばやく転写使用し得るのであり，その爪（Ｍ）への強固な貼り付け状態に保たれる。
【００３６】
つまり、上記ネイルシール（Ｎ）を手や足の爪（Ｍ）へ転写使用するに当っては、図６、７の状態から希望する標章転写片（Ｔ）の裏面に対応位置する離型シート（１１）の一部を、そのハーフカット線（１８）に基き剥ぎ取り除去して、その標章転写片（Ｔ）の裏面を露出させる。
【００３７】
そして、そのネイルシール（Ｎ）の全体を片手の指先で摘まみ持ち乍ら、上記裏面の露出した標章転写片（Ｔ）を図８、９のように、残る片手や足の爪（Ｍ）の真上（表面）に位置決めする如く当てがって、そのマスキングシート（１６）の表側から指先により、上記標章転写片（Ｔ）を爪（Ｍ）に押し付けるか又は擦り付ける。
【００３８】
そうすれば、離型シート（１１）の表面に対する標章転写片（Ｔ）の貼り付け粘着力が、その標章転写片（Ｔ）の表面に対するマスキングシート（１６）の貼り付け粘着力よりも強力に設定されている関係上、上記標章転写片（Ｔ）は図１０、１１のようにマスキングシート（１６）から自づと容易に剥離し、離型シート（１１）の先に剥ぎ取られた内部空間（Ｏ）を通じて、手や足の爪（Ｍ）へ貼り付け固定されることになり、その転写作業に高度な手技やましてピンセットなどの特別な摘まみ用具を必要としない。
【００３９】
このような転写作業を標章転写片（Ｔ）の１枚づつについて繰り返し、そのネイルシール（Ｎ）の全体をミスなく使用すれば良いのである。
【００４０】
次に、図１２〜１６は本考案の第２実施形態に係るネイルシール（Ｎ）の製作工程を、図１７、１８は同じく転写使用法とその転写使用状態を各々示しており、その第２実施形態のネイルシール（Ｎ）では複数の標章転写片（Ｔ）となる標章（１４）を印刷基材シート（１２）の表面へカラー印刷した後、その標章（１４）の印刷部分（Ｐ）へ図１２のように表側から透明インキによるトップ印刷層（１９）を被着一体化している。
【００４１】
その後、上記第１実施形態の図３〜７と対応する第２実施形態の図１３〜１６から示唆されるように、その第１実施形態の製作工程に準じて、上記印刷基材シート（１２）の表側から標章（１４）の印刷部分（Ｐ）を縁取るハーフカット線（１５）の切り込み（図１３）や、そのハーフカット線（１５）に基く余白部分（Ｓ）の剥ぎ取り除去（図１４）、複数の標章転写片（Ｔ）を表側から被覆するマスキングシート（１６）の貼り付け（図１５）、上記離型シート（１１）の裏側から標章転写片（Ｔ）を包囲するハーフカット線（１８）の切り込み（図１６）が順次実行されることになる。
【００４２】
上記第２実施形態に係るネイルシール（Ｎ）の構成によれば、標章転写片（Ｔ）の標章（１４）が表側から透明のトップ印刷層（１９）によって被覆されているため、その手や足の爪（Ｍ）に対する転写使用状態の標章転写片（Ｔ）に、光沢（艶）を付与することができるほか、表側から水分や摺擦力などを受けても、その標章（１４）が形崩れしたり、まして消失したりするおそれはなく、ネイルシール（Ｎ）としての耐候性や耐用性を向上できる効果もある。
【００４３】
尚、第２実施形態のネイルシール（Ｎ）におけるその他の構成と、その手や足の爪（Ｍ）に対する転写使用法（図１７）並びに転写使用状態（図１８）は、上記第１実施形態と実質的に同一であるため、その図１２〜１８に図１〜１１との同一符号を記入するにとどめて、その詳細な説明を省略する。
【００４４】
図１〜１８に示した上記第１、２実施形態の構成では、その何れも各標章転写片（Ｔ）を包囲する平面輪郭形状（図例では楕円形）と大きさのハーフカット線（１８）を、印刷基材シート（１２）の離型シート（１１）へ裏側から切り込んでおり、その平面輪郭形状の全体を剥ぎ取り除去した離型シート（１１）の内部空間（Ｏ）から、各標章転写片（Ｔ）を手や足の爪（Ｍ）へ転写するようになっているが、図８〜１０と対応する図１９〜２１の第３実施形態に示す如く、上記離型シート（１１）へ裏側から切り込むハーフカット線（１８）を、各標章転写片（Ｔ）を包囲する平面輪郭形状の一部（Ｚ）が残存する状態にとどめても良い。その残存する一部（Ｚ）の形成に当っては、上記刃型の刃先を例えば約１〜２mmの一定幅だけ欠落させておけば良い。
【００４５】
つまり、上記平面輪郭形状の区画内部を完全に剥ぎ取り除去せず、その残存する一部（Ｚ）を図２０のように言わば離型シート（１１）の開閉ヒンジとして、その片手の指先により一旦開放した内部空間（Ｏ）を通じ、各標章転写片（Ｔ）を手や足の爪（Ｍ）へ転写した後、図２１のように上記離型シート（１１）の内部空間（Ｏ）を閉鎖状態に復元できるように構成するのである。
【００４６】
このような第３実施形態の構成を採用するならば、離型シート（１１）における上記平面輪郭形状の剥ぎ取り滓が発生せず、転写作業した周辺を汚損するおそれがないばかりでなく、各標章転写片（Ｔ）の転写後にマスキングシート（１６）の裏面が露出して、その粘着剤層（１７）に作業手の指先が粘着する不快感や、逆に塵埃が粘着剤層（１７）に付着する見苦しさなどを予防できる効果がある。
【００４７】
尚、第３実施形態のネイルシール（Ｎ）におけるその他の構成は、上記第１実施形態と実質的に同一であるため、その図１９〜２１に図１〜１１との同一符号を記入するにとどめて、その詳細な説明を割愛する。
【符号の説明】
【００４８】
（１１）・離型シート
（１２）・印刷基材シート
（１３）（１７）・粘着剤層
（１４）・標章
（１５）（１８）・ハーフカット線
（１６）・マスキングシート
（１９）・トップ印刷層
（Ｍ）・爪
（Ｎ）・ネイルシール
（Ｏ）・内部空間
（Ｐ）・印刷部分
（Ｓ）・余白部分
（Ｔ）・標章転写片
（Ｚ）・残存部分
【図１】
0003180707.tif 000003
【図２】
0003180707.tif 000004
【図３】
0003180707.tif 000005
【図４】
0003180707.tif 000006
【図５】
0003180707.tif 000007
【図６】
0003180707.tif 000008
【図７】
0003180707.tif 000009
【図８】
0003180707.tif 000010
【図９】
0003180707.tif 000011
【図１０】
0003180707.tif 000012
【図１１】
0003180707.tif 000013
【図１２】
0003180707.tif 000014
【図１３】
0003180707.tif 000015
【図１４】
0003180707.tif 000016
【図１５】
0003180707.tif 000017
【図１６】
0003180707.tif 000018
【図１７】
0003180707.tif 000019
【図１８】
0003180707.tif 000020
【図１９】
0003180707.tif 000021
【図２０】
0003180707.tif 000022
【図２１】
0003180707.tif 000023